(57)【要約】【課題】使用した水道水の水量を計量するための量水器は計量費であるため、使用期限が定められているが、この使用期限直前の取替を要する量水器の数も多いため、これを期限内に迅速に取替作業が行われているが、水流の方向をあらわす矢印（１６）は薄く小さくて見落としやすい。【解決手段】量水器の本体（２）に、しるし（６）を設け、量水器に接続する量水器継手（８）に、しつし（６）を設けることを特徴とする、量水器の逆取付予防装置である。【選択図】図４
0003128549.tif 000002
【実用新案登録請求の範囲】
【請求項１】
量水器の本体（２）にしるし（６）を設け、量水器に接続する量水器継手（８）に、しるし（６）を設けることを特徴とする、量水器の逆取付予防止装置。
【考案の詳細な説明】
【技術分野】
【０００１】本考案は、水道水を供給する給水管（１０）の途中に取り付けて、使用した水道水の計量を行うもので量水器逆取の付防止装置に関するものである。
【背景技術】
【０００２】従来の量水器は、図１のごとく、円筒形をした本体（２）の水源側（１１）と、流末側（１２）に、そてぞれ捻子（１７）が付けてある筒（３）と、横付筒補強板（２０）と竪付筒補強板（２８）が付けてあり、本体（２）には本体（２）の流末側に向かって左側（３９）と右側（４０）には、水流をあらわす矢印（１６）が薄く小さく付けてある。
また量水器は計量器であるため、使用期限が決められている。したがって使用期限が切れる直前の量水器もまた数多くあり、そのため使用期限直前の量水器は一斉に迅速に取替られる、そのため量水器のどの部分が水源側（１１）で、どの部分が流末側（１２）であるかは、ただ一見しただけでは容易に見分けが付かないばかりか、本体（２）の両側にあり水流をあらわす矢印（１６）も小さくて薄く付けてあるため充分確認する必要があるが、これを急ぐあまり確認を怠りやすく、また図７のように量水器は片手で持って取り付けるため、この時点でも矢印（１６）は確認できないから逆に取り付けることもおこる、したがって逆に取り付けた量水器はその場では判明することが少ないため、これが判明すたきは次に行われる検針のときになるから、この時点で、再度取付が行われている。
【考案の開示】
【考案が解決しようとする課題】
【０００３】そのために次のような問題点があった。
（イ）量水器は図１のごとく本体（２）の水源側（１１）と流末側（１２）には同型の筒（３）が付けてあり、筒（３）の先にも同径の捻子（１７）が付けてあるが水流をあらわす矢印（１６）が流末側に向かって本体（２）の左側（３９）と右側（４０）に付けてあっても、この矢印（１６）は小さくて見落としやすい、また都市には人口が多いため量水器の数も多く、給水管（１０）の途中に取り付けてあるが、この量水器は計量器であるため、使用期限が切れる直前に数多くを期限内に迅速に取り付が行われてる。
（ロ）したがって量水器を取り付ける際は図７のごとく、量水器を上から片手（２５）にて持って取りつけるため水流をあらわす矢印（１６）は見えなくなる。
（ハ）また取り付けた直後も図６のごとくこの量水器を上から見下ろすことになり、矢印（１６）は見えないため、ここでも正しく取り付けたことも確認できないため、しばしば逆に取り付けることがおこる、またこの量水器を逆に取り付けたときは正しい計量は行われなくなる、したがってこの検針は後日行なわれるため、ここで再度取替作業が行われる。
本考案は、以上の問題点を解決するためになされたものである。
【考案が解決しようとする手段】
【０００４】  量水器の本体（２）にしるし（６）を設け、量水器に接続する量水器継手（８）に、しるし（６）を設けることを特徴とする、量水器の逆取付予防装置である。
【考案の効果】
【０００５】以上の構造であるから、図８のごとく、本考案の量水器（１）を取り付ける際には、あらかじめ矢印（１６）の方向の確認を忘れても、しるし（６）が付けてある筒（３）を、しるし（６）が付けてある量水器継手（８）にあてがって取り付けることにより量水器（１）は正しく取り付けることができる、
また片手（２５）で量水器を持っ取り付けるときでも、図９のごとく、逆に取り付けようとすることがただちに判明し逆取付を未然に防止することができる、
また図１２のごとく、矢印（１６）の確認を怠り、これを取り付けた後直立して量水器を上から見下ろしたときでも、正しく取付たことがこの時点でも判明し逆取付を未然に防止することができる。
【考案を実施するための最良の形態】
【０００６】以下、本考案の実施の形態を説明する。
（イ）  図４のごとく、量水器の本体（２）の水源側（１１）にある筒（３）と、水源側（１１）にある横付筒補強板（２０）と、水源側（１１）にある竪付筒補強板（２８）とに、しるし（６）を設ける。
（ロ）  量水器の本体（２）の水源側（１１）にある、しるしを設けた筒（７）と、しるし付竪付補強板（２７）と、しるし付横付筒補強板（２９）のしるし（６）は、赤色など確認がし易い色彩を施すことがよい、またこのしるしを設けた筒（３）に付けてある捻子（１７）にねじ込む水源側（１１）にある給水継手（８）にも赤色などの確認がし易い色彩をほどこす。
（ハ）  本考案の量水器（１）を取り付けるときは、図４のごとく、しるしを設けた筒（７）をしるしを設けた給水継手（９）にねじ込みつぎに、流末側（１２）にある捻子（１７）を流末側（１２）にある、給水継手（８）にねじ込むことにより量水器（１）は正しく取り付けることができる、また取り付けた後も、しゃがんで矢印（１６）を確認することなく、量水器（１）を上から確認できる。【０００７】次に通水を行うときは図１０のごとく、水源側（１１）にあるバルブ（２１）に付けているバルブ開閉用ハンドル（３０）を開き、次に最終流末にある水栓類を開けて通水を行う。
【図面の簡単な説明】
【０００８】
【図１】従来の量水器の斜視図
【図２】従来の量水器を正しく取り付けた斜視図
【図３】従来の量水器を逆に取り付けた斜視図
【図４】本考案」を正しく取り付けたことをあらわす量水器の斜視図
【図５】本考案の量水器を誤って取り付けたことをあらわす量水器の斜視図
【図６】従来の量水器を上えから見た斜視図
【図７】従来の量水器を従来の給水継手（８）にあてがったことをあらわす斜視図
【図８】本考案の量水器（１）を正しく取付ようとすることをあらわす斜視図
【図９】本考案を誤って取付ることをあらわす斜視図
【図１０】本考案の量水器（１）を正しく給水装置（３１）に取り付けたことをあらわす斜視図
【図１１】しるし（６）を付けた給水継手（９）が取り付けてある給水装置（３１）に量水器を取り外したことをあらわす簡単な斜視図
【図１２】量水器（１）を正しく取り付けた後、これを上から見た斜視図
【符号の説明】
【０００９】（１）  は  本考案の量水器
（２）  は  本体
（３）  は  筒
（４）  は  片方の筒
（５）  は  蓋の蝶番
（６）  は  しるし
（７）  は  しるしを設けた筒
（８）  は  量水器継手
（９）  は  しるしを設けた量水器継手
（１０）は  給水管
（１１）は  水源側
（１２）は  流末側
（１３）は  流入口
（１４）は  流出口
（１５）は  量水器の蓋
（１６）は  矢印
（１７）は  捻子
（１８）は  本体の左側
（１９）は  本体の右側
（２０）は  横付筒補強板
（２１）は  バルブ
（２２）は  伸縮用袋ナット
（２３）は  伸縮管
（２４）は  本体の上部
（２５）は  片手
（２６）は  量水器取付スペース
（２７）は  しるし付竪付筒補強板
（２８）は  竪付筒補強板
（２９）は  しるし付横付筒補強板
（３０）は  開閉用バルブハンドル
（３１）は  給水装置
（３２）は  水流指示矢印
【図１】
0003128549.tif 000003
【図２】
0003128549.tif 000004
【図３】
0003128549.tif 000005
【図４】
0003128549.tif 000006
【図５】
0003128549.tif 000007
【図６】
0003128549.tif 000008
【図７】
0003128549.tif 000009
【図８】
0003128549.tif 000010
【図９】
0003128549.tif 000011
【図１０】
0003128549.tif 000012
【図１１】
0003128549.tif 000013
【図１２】
0003128549.tif 000014